(57)【特許請求の範囲】
【請求項１】
車両に対してアッパーケースとロアーケースとから構成されるケース本体をステーによって取り付けるようにした電気接続箱の取付構造において、
前記ステーは、前記車両に固定される基部と、前記基部の両端からそれぞれ同一方向に延設された一対の腕部とを備え、前記腕部には同腕部の変形を防止するための突条が同腕部の長手方向に沿って延び、前記各腕部の先端を円弧状に形成するとともに、前記各腕部の両側部に係止突起を長手方向に沿って複数設け、
前記ケース本体は、前記各腕部が差し込まれるレール部を備え、前記レール部は前記アッパーケースに設けられる第１レールと前記ロアーケースに設けられる第２レールとからなり、前記各レールの基端部に案内部を設けるとともに、前記各レールの長手方向に沿って溝部を設け、かつ前記各溝部の底部に前記係止突起が係止される被係止凸部を前記各係止突起に対応するように複数設け、当該ケース本体は、前記ステーの基部及び各腕部によってケース本体の部品装着面と垂直な面を側方からつかまれた状態で固定されることを特徴とする電気接続箱の取付構造。
【発明の詳細な説明】
【０００１】
【発明の属する技術分野】
本発明は、自動車に搭載される電気接続箱の取付構造に関するものである。
【０００２】
【従来の技術】
従来、自動車の電気回路に搭載されるジャンクションボックス、リレーボックス、ヒュージブルリンクボックス、電気制御ユニット等の各種電気接続箱が提案されている。
【０００３】
そして、このような電気接続箱として、ケース本体をステーによって車両に取り付けるようにしたものが提案されている。例えば、実公昭６４−５４７１６号公報に示すように、ケース本体にボルトを締結させるとともに、ケース本体に設けられた係止ピンをステーに設けられた嵌合孔に嵌合させることにより、電気接続箱を車両に取り付けたものがある。また、実公昭６３−１００８８３号公報に示すように、ケース本体にボルトを締結させるとともに、ケース本体に突設されたガイド片をステーに設けられた係止部に係合させることにより、電気接続箱を車両に取り付けたものがある。
【０００４】
【発明が解決しようとする課題】
ところが、これらの電気接続箱は、ボルトによって車両に取り付けられるようになっていた。そのため、電気接続箱の取付作業及び取り外し作業を行う場合には、ボルトをボルト挿通孔に対して挿脱する作業と、ボルトを回す作業との両方を行わなければならなかった。ゆえに、電気接続箱の取付作業及び取り外し作業が面倒であった。
【０００５】
本発明は上記の課題に鑑みてなされたものであり、その目的は、取付作業及び取り外し作業を容易に行うことができる電気接続箱の取付構造を提供することにある。
【０００６】
【課題を解決するための手段】
上記の課題を解決するために、請求項１に記載の発明では、車両に対してアッパーケースとロアーケースとから構成されるケース本体をステーによって取り付けるようにした電気接続箱の取付構造において、前記ステーは、前記車両に固定される基部と、前記基部の両端からそれぞれ同一方向に延設された一対の腕部とを備え、前記腕部には同腕部の変形を防止するための突条が同腕部の長手方向に沿って延び、前記各腕部の先端を円弧状に形成するとともに、前記各腕部の両側部に係止突起を長手方向に沿って複数設け、前記ケース本体は、前記各腕部が差し込まれるレール部を備え、前記レール部は前記アッパーケースに設けられる第１レールと前記ロアーケースに設けられる第２レールとからなり、前記各レールの基端部に案内部を設けるとともに、前記各レールの長手方向に沿って溝部を設け、かつ前記各溝部の底部に前記係止突起が係止される被係止凸部を前記各係止突起に対応するように複数設け、当該ケース本体は、前記ステーの基部及び各腕部によってケース本体の部品装着面と垂直な面を側方からつかまれた状態で固定されることを要旨とする。
【０００９】
以下、本発明の「作用」について説明する。
請求項１に記載の発明によると、ステーは、ケース本体の部品装着面と垂直な面を側方からつかむようになっている。そのため、ケース本体とステーとの間の接触面積が大きくなり、ケース本体がステーからズレてしまうのを防止することができる。よって、ケース本体の取付強度を向上させることができる。また、電気接続箱は、部品装着面と垂直な面をつかむことによってケース本体を固定するステーによって車両に取り付けられるようになっている。そのため、電気接続箱の取付作業及び取り外し作業にボルト等を使用する必要がなくなる。従って、電気接続箱の取付作業及び取り外し作業を容易に行うことができる。さらに、ケース本体は、レール部に腕部が差し込まれることによって各腕部間に確実に案内される。従って、ステーにケース本体を確実に固定することができる。また、ケース本体は、係止突起と被係止凸部とが係合することによってもステーに固定される。そのため、ステーにケース本体を確実に固定することができる。ゆえに、ケース本体の取付後において、ケース本体の取付強度をより確実に向上させることができる。
【００１０】
加えて、係止突起及び被係止凸部が複数箇所に配設されているため、係止突起と被係止凸部との係止箇所が増加する。従って、ケース本体をステーに確実に固定することができる。また、各係止突起が各腕部の長手方向に沿って配設されているため、ケース本体の固定位置を多段階的に調節することができる。
【００１１】
さらには、レール部を構成する第１レール及び第２レールが、ケース本体を構成するアッパーケース及びロアーケースのそれぞれに設けられている。そのため、第１レール及び第２レールが互いに向かい合っていても、アッパーケース及びロアーケースの成形時に確実に型抜きを行うことができる。よって、レール部を容易に射出成形することができる。
【００１２】
【発明の実施の形態】
以下、本発明を具体化した電気接続箱の取付構造の一実施形態を図１〜図５に基づき詳細に説明する。
【００１３】
図１及び図２に示すように、車両を構成する車両パネル１１には、電気接続箱としてのジャンクションボックス２１がステー３１によって取り付けられている。ジャンクションボックス２１を構成するケース本体２２の部品装着面２ａには、コネクタ装着部４が複数箇所に形成されている。各コネクタ装着部４には、図示しないコネクタが装着されるようになっている。
【００１４】
図１及び図２に示すように、ケース本体２２の側面２２ａの中央部分には、第１突出部４１が構成されている。第１突出部４１は舌片状をなしている。第１突出部４１の前面には、係合部４１ａが２箇所に設けられている。また、ケース本体２２の側面２２ｂの下端部分（ケース本体２２において側面２２ｂと側面２２ｄとが交わる部分）には、第２突出部４２が突設されている。第２突出部４２は、図２に示す方向から見て略へ字状をなしている。
【００１５】
図１及び図２に示すように、ケース本体２２は、アッパーケース２３とロアーケース２４とを組み合わせることによって構成されている。ケース本体２２の側面２２ｂ，２２ｃには、レール部４３がそれぞれ設けられている。各レール部４３は、ケース本体２２の長手方向に沿って延設されている。尚、側面２２ａ〜２２ｄとは、ケース本体２２の部品装着面２ａと垂直な面である。図２に示すように、レール部４３は、第１係合部としての第１レール４３ａ及び第２係合部としての第２レール４３ｂによって構成されている。第１レール４３ａはアッパーケース２３に設けられるとともに、第２レール４３ｂはロアーケース２４に設けられている。
【００１６】
第１レール４３ａ及び第２レール４３ｂの上端部分（側面２２ａ側の部分）には、案内部７１がそれぞれ設けられている。第１レール４３ａに設けられた案内部７１及び第２レール４３ｂに設けられた案内部７１は、上端に向かうに従って互いに離間した状態になっている。また、第１レール４３ａ及び第２レール４３ｂには、リブ７２が同第１レール４３ａ及び第２レール４３ｂの長手方向に沿って複数箇所に配設されている。各リブ７２は、第１レール４３ａ及び第２レール４３ｂの長手方向に沿って等間隔に配設されている。各リブ７２は、これら第１レール４３ａ及び第２レール４３ｂを補強するためのものである。
【００１７】
図２に示すように、第１レール４３ａ及び第２レール４３ｂには、溝部４４，４５がそれぞれ設けられている。溝部４４，４５は、第１レール４３ａ及び第２レール４３ｂの長手方向に沿って延設されている。溝部４４，４５は、ケース本体２２が構成されたときに互いに向かい合うようになっている。各溝部４４，４５の底部には、被係止部としての被係止凸部６１が複数箇所に設けられている。
【００１８】
図３に示すように、前記ステー３１は１枚の金属板を折り曲げることによって形成されている。ステー３１を構成する基部３２には、略矩形状の取付部３６が折曲形成されている。この取付部３６に対してスポット溶接を２箇所に行うことにより、ステー３１が車両パネル１１に固定される。
【００１９】
また、基部３２の長手方向における中央部には、略矩形状の嵌合孔３２ａが設けられている。嵌合孔３２ａの長さは、第１突出部４１の幅とほぼ等しくなっている。嵌合孔３２ａの幅は、第１突出部４１の板厚とほぼ等しくなっている。この嵌合孔３２ａに第１突出部４１を挿通して係合部４１ａを係合させることにより、第１突出部４１が基部３２に固定される。
【００２０】
図３に示すように、基部３２の両端からは、一対の腕部３３，３５がそれぞれ同一方向に延設されている。その結果、ステー３１は全体として略コ字状に形成されるようになる。各腕部３３，３５は、レール部４３に差し込まれるようになっている。各腕部３３，３５の幅は、前記溝部４４，４５間の距離とほぼ等しくなっている。また、各腕部３３，３５の幅は、第１レール４３ａに設けられた被係止凸部６１の先端と第２レール４３ｂに設けられた被係止凸部６１の先端との間の距離よりもやや大きくなっている。
【００２１】
腕部３５には、同腕部３５の変形を防止するための突条３９が同腕部３５の長手方向に沿って延びている。腕部３５の先端は略Ｕ字状をなしている。腕部３５の両側部には、係止部としての係止突起５１が腕部３５の長手方向に沿って複数箇所に設けられている。各係止突起５１は、腕部３５の長手方向に沿って等間隔に配設されている。各係止突起５１は前記各被係止凸部６１に対応するように配設されている。本実施形態において、係止突起５１は腕部３５の片側に３箇所ずつ（計６箇所）に設けられている。各係止突起５１は各被係止凸部６１に係脱可能になっている。
【００２２】
また、腕部３３は、腕部３５よりも長くなるように設定されている。腕部３３には、同腕部３３の変形を防止するための突条３８が同腕部３３の長手方向に沿って延びている。突条３８は、突条３９とは反対方向に向けて突設されている。腕部３３の先端は略Ｕ字状をなしている。腕部３３の両側部には、係止部としての係止突起５２が腕部３３の長手方向に沿って複数箇所に設けられている。各係止突起５２は、腕部３３の長手方向に沿って等間隔に配設されている。各係止突起５２は各被係止凸部６１に対応するように配設されている。本実施形態において、係止突起５２は腕部３３の片側に６箇所ずつ（計１２箇所）に設けられている。各係止突起５１は、各被係止凸部６１に係脱可能になっている。
【００２３】
次に、ジャンクションボックス２１を車両パネル１１に取り付ける方法を説明する。
まず、ステー３１に設けられた取付部３６に対してスポット溶接を２箇所に行う。その結果、図３に示すように、ステー３１が車両パネル１１に固定される。
【００２４】
次に、図４及び図５に示すケース本体２２を、ステー３１の下方（各腕部３３，３５の先端側）から上方（基部３２側）に移動させる。具体的には、各腕部３３，３５間に、ケース本体２２を各腕部３３，３５の延設方向とは反対方向に向かって挿入する。このとき、各腕部３３，３５が溝部４４，４５間に案内される。つまり、各腕部３３，３５がレール部４３によって案内される。この状態において、ケース本体２２を各腕部３３，３５とは反対方向に向かってスライドさせる。その結果、第１突出部４１が嵌合孔３２ａに挿入された状態で固定されるとともに、各係止突起５１，５２が各被係止凸部６１に係止される。このとき、基部３２及び各腕部３３，３５が、ケース本体２２の部品装着面２ａと垂直な面（側面２２ａ，２２ｂ，２２ｃ）を側方からつかんだ状態になる。その結果、ケース本体２２がステー３１に固定されて、ジャンクションボックス２１が車両パネル１１に固定される。
【００２５】
次に、ジャンクションボックス２１を車両パネル１１から取り外す方法を説明する。
まず、ケース本体２２を各腕部３３，３５の延設方向に向かってスライドさせる。具体的には、各腕部３３，３５の両側縁と各被係止凸部６１の先端とを接触させたままの状態でケース本体２２を移動させる。このとき、各係合部４１ａと嵌合孔３２ａの端縁との係合が解除されて、第１突出部４１が嵌合孔３２ａから取り外される。それとともに、ケース本体２２がレール部４３に案内されながら移動する。その結果、ジャンクションボックス２１がステー３１から取り外されて、ジャンクションボックス２１が車両パネル１１から取り外される。
【００２６】
従って、本実施形態によれば以下のような効果を得ることができる。
（１）ステー３１は、ケース本体２２の部品装着面２ａと垂直な面を側方からつかむようになっている。そのため、ケース本体２２とステー３１との間の接触面積が大きくなり、ケース本体２２がステー３１からズレてしまうのを防止することができる。よって、ケース本体２２の取付強度を向上させることができる。また、ジャンクションボックス２１は、部品装着面２ａと垂直な面をつかむことによってケース本体２２を固定するステー３１によって車両に取り付けられるようになっている。そのため、ジャンクションボックス２１の取付作業及び取り外し作業にボルト等を使用する必要がなくなる。従って、ジャンクションボックス２１の取付作業及び取り外し作業を容易に行うことができる。さらに、ケース本体２２は、レール部４３に腕部３３，３５が差し込まれることによって各腕部３３，３５間に確実に案内される。従って、ステー３１にケース本体２２を確実に固定することができる。また、ケース本体２２は、係止突起５１，５２と被係止凸部６１とが係合することによってもステー３１に固定される。そのため、ステー３１にケース本体２２を確実に固定することができる。ゆえに、ケース本体２２の取付後において、ケース本体２２の取付強度をより確実に向上させることができる。
【００２７】
（２）係止突起５１，５２及び被係止凸部６１が複数箇所に配設されているため、係止突起５１，５２と被係止凸部６１との係止箇所が増加する。従って、ケース本体２２をステー３１に確実に固定することができる。また、各係止突起５１，５２が各腕部３３，３５の長手方向に沿って配設されているため、ケース本体２２の固定位置（ケース本体２２の高さ）を多段階的に調節することができる。
【００２８】
（３）レール部４３を構成する第１レール４３ａ及び第２レール４３ｂが、ケース本体２２を構成するアッパーケース２３及びロアーケース２４のそれぞれに設けられている。そのため、溝部４４，４５が互いに向かい合っていても、アッパーケース２３及びロアーケース２４の成形時に確実に型抜きを行うことができる。よって、レール部４３を容易に射出成形することができる。
【００２９】
（４）ケース本体２２は、側面２２ａ，２２ｂ，２２ｃが側方からつかまれることのみによってステー３１に固定される。そのため、第１突出部４１を省略することができる。つまり、実公昭６３−１００８８３号公報に示すようなガイド片をケース本体２２に突設しなくてもよい。従って、ステー３１に対してジャンクションボックス２１の取り付け、取り外しを行うための構造を容易に成立させることができる。
【００３０】
なお、本発明の実施形態は以下のように変更してもよい。
・前記実施形態では、係止突起５１が腕部３５の片側に３箇所ずつ（計６箇所）に設けられるとともに、係止突起５２が腕部３３の片側に６箇所ずつ（計１２箇所）に設けられていた。そして、被係止凸部６１が係止突起５１，５２に対応するように配設されていた。しかし、係止突起５１，５２及び被係止凸部６１の数を変更してもよい。また、係止突起５１，５２及び被係止凸部６１のうち少なくともいずれか一方を省略してもよい。
【００３１】
・前記実施形態では、係止突起５１，５２は腕部３３，３５の両側部に突設されていた。しかし、係止突起５１，５２を腕部３３，３５の一側部のみに突設するようにしてもよい。
【００３２】
・前記実施形態において、嵌合孔３２ａを、基部３２及び各腕部３３，３５のうち少なくとも１箇所に設けるとともに、第１突出部４１をケース本体２２の嵌合孔３２ａに対応する位置に設けてもよい。また、嵌合孔３２ａ及び第１突出部４１は設けられていなくてもよい。
【００３３】
・第１レール４３ａ及び第２レール４３ｂを、アッパーケース２３及びロアーケース２４のいずれか一方に設けるようにしてもよい。
・前記実施形態では、側面２２ａ側が上方向、側面２２ｄ側が下方向として説明しているものの、ジャンクションボックス２１を車両パネル１１に取り付ける際には、例えば、側面２２ａが下方に位置し、側面２２ｄが上方に位置していてもよい。また、側面２２ｂまたは側面２２ｃが上方を向くように、即ちジャンクションボックス２１を９０°回転させた状態で車両パネル１１に取り付けてもよい。つまり、ジャンクションボックス２１は、どの方向を向くように取り付けられていてもよい。
【００３４】
次に、上記実施形態及び別例によって把握される技術的思想を以下に列挙する。
（１）請求項１において、前記各腕部間に、前記ケース本体を前記各腕部の延設方向とは反対方向に向けて挿入したことを特徴とする電気接続箱の取付構造。よって、技術的思想（１）によれば、ケース本体をより確実に固定することができる。
【００３６】
【発明の効果】
以上詳述したように、請求項１に記載の発明によれば、電気接続箱の取付作業及び取り外し作業を容易に行うことができる。さらに、ステーにケース本体を確実に固定することができる。また、ケース本体の取付強度をより確実に向上させることができる。加えて、ケース本体の固定位置を多段階的に調節することができる。また、レール部を容易に射出成形することができる。
【図面の簡単な説明】
【図１】  本実施形態におけるステーに取り付けられた後のジャンクションボックスを示す正面図。
【図２】  ステーに取り付けられた後のジャンクションボックを示す側面図。
【図３】  ステーの全体斜視図。
【図４】  ステーに取り付けられる前のジャンクションボックスを示す正面図。
【図５】  ステーに取り付けられる前のジャンクションボックスを示す側面図。
【符号の説明】
２ａ…部品装着面、１１…車両を構成する車両パネル、２１…電気接続箱としてのジャンクションボックス、２２…ケース本体、２３…アッパーケース、２４…ロアーケース、３１…ステー、３２…基部、３３，３５…腕部、４３…レール部、４３ａ…第１係合部としての第１レール、４３ｂ…第２係合部としての第２レール、５１，５２…係止部としての係止突起、６１…被係止部としての被係止凸部。
【図１】
0003965923.tif 000002
【図２】
0003965923.tif 000003
【図３】
0003965923.tif 000004
【図４】
0003965923.tif 000005
【図５】
0003965923.tif 000006